(57)【要約】ポンプヘッド部は、最終的にはポンプボディに対してボルト等の固定部材によって固定されるが、固定部材によるポンプボディへの固定がなされる前の段階では、プランジャの軸方向に対して垂直な方向へポンプボディとは相対的に移動可能である。この状態で、プランジャ駆動部をポンプボディの先端側の所定位置まで移動させ、ポンプヘッド部とプランジャ駆動部とを嵌合させると、プランジャの中心軸とポンプ室の中心軸とが略一致するような位置にポンプヘッド部が位置決めされる。この位置でポンプヘッド部を固定部材によってポンプボディに固定することで、プランジャの中心軸とポンプ室の中心軸とを略一致させた状態でプランジャポンプを組み上げることができる。
2019106738.tif 000002
【特許請求の範囲】
【請求項１】
ポンプボディと、
プランジャと、
前記ポンプボディの先端から前記プランジャを突出させるように先端で前記プランジャの基端を保持し、前記ポンプボディ内で前記プランジャの軸方向へ移動するプランジャ駆動部と、
前記プランジャの先端部が挿入されるポンプ室が内部に設けられているポンプヘッドを少なくとも有するとともに、前記プランジャの中心軸と前記ポンプ室の中心軸とが略一致した状態で前記プランジャ駆動部が前記ポンプボディの先端側の所定位置まで移動したときに前記プランジャ駆動部と嵌合する形状を有し、前記プランジャの軸方向に対して垂直な方向へ前記ポンプボディとは相対的に移動可能な状態で前記ポンプボディの先端に配置され、前記プランジャ駆動部と嵌合可能な位置関係をもって前記ポンプボディの先端に固定されているポンプヘッド部と、を備えているプランジャポンプ。
【請求項２】
前記ポンプヘッド部は、前記ポンプヘッドを含むポンプヘッド部本体、及び前記ポンプヘッド部本体とは別体として設けられ、前記ポンプヘッド部本体の基端部と嵌合して前記ポンプヘッド部本体を保持するポンプヘッド保持部材を備え、
前記ポンプヘッド保持部材が、前記プランジャ駆動部が前記所定位置まで移動したときに前記プランジャ駆動部と嵌合する形状を有し、
前記ポンプヘッド保持部材は、前記プランジャの軸方向に対して垂直な方向へ移動可能な状態で前記ポンプボディの先端に配置され、前記プランジャ駆動部と嵌合可能な位置関係をもって前記ポンプボディの先端に固定されている、請求項１に記載のプランジャポンプ。
【請求項３】
ポンプボディと、
プランジャと、
前記プランジャの先端部が挿入されるポンプ室が内部に設けられているポンプヘッドを少なくとも有し、前記ポンプボディの先端に固定されているポンプヘッド部と、
前記ポンプボディ内に収容されて前記プランジャの軸方向へ移動するプランジャ駆動部本体、及び前記プランジャ駆動部本体に取り付けられ、前記ポンプボディの先端から前記プランジャを突出させるようにプランジャの基端を保持するプランジャ保持部を有するプランジャ駆動部と、を備え、
前記プランジャ保持部は、前記プランジャの中心軸と前記ポンプ室の中心軸とが略一致した状態で前記プランジャ駆動部が前記ポンプボディの先端側の所定位置まで移動したときに前記ポンプヘッド部と嵌合する形状を有し、前記プランジャの軸方向に対して垂直な方向へ前記プランジャ駆動部本体とは相対的に移動可能な状態で前記プランジャ駆動部本体の先端部に配置され、前記ポンプヘッド部と嵌合可能な位置関係をもって前記プランジャ駆動部本体に取り付けられている、プランジャポンプ。
【請求項４】
前記ポンプヘッド部は、前記ポンプヘッドを含むポンプヘッド部本体、及び前記ポンプヘッド部本体とは別体として設けられ、前記ポンプヘッド部本体の基端部と嵌合して前記ポンプヘッド部本体を保持するポンプヘッド保持部材を備え、
前記プランジャ保持部は、前記プランジャ駆動部が前記ポンプボディの先端側の前記所定位置まで移動したときに前記ポンプヘッド保持部材の一部と嵌合する形状を有する、請求項３に記載のプランジャポンプ。
【発明の詳細な説明】
【技術分野】
【０００１】
本発明は、例えば高速液体クロマトグラフ（ＨＰＬＣ）や超臨界流体クロマトグラフ（ＳＦＣ）などの分析装置において移動相の送液に用いられるプランジャポンプに関するものである。
【背景技術】
【０００２】
ＨＰＬＣやＳＦＣにおいて移動相を送液するための送液ポンプとして、２つのプランジャポンプを直列又は並列に接続したダブルプランジャ方式のポンプがよく用いられる。各プランジャポンプは、プランジャを先端で保持してプランジャの軸方向へ移動するプランジャ駆動部がポンプボディ内に収容され、ポンプボディの先端にポンプヘッドが配置されて構成されている。プランジャはポンプボディの先端からポンプヘッド内へ突出し、ポンプヘッド内に設けられたポンプ室内において軸方向へ摺動しながら往復動することで、ポンプ室内への液の吸入とポンプ室からの液の吐出が連続的に行なわれる。【０００３】
ポンプヘッドのポンプ室の近傍には、プランジャの外周面を液密に保持してポンプ室からの液漏れを防止するプランジャシールが設けられている。プランジャシールは内周面がプランジャの外周面と摺動して磨耗するものであり、定期的な交換を要する消耗品である。プランジャシールが磨耗すると、ポンプ室からポンプボディ方向への液漏れが発生し、コンタミネーションや送液不良の原因となる。【０００４】
プランジャシールの磨耗を促進させる要因として、プランジャとポンプ室との相対的な偏心、すなわち、プランジャの中心軸とポンプ室の中心軸との相対的なずれが挙げられる。プランジャの中心軸とポンプ室の中心軸とが一致していれば、プランジャがプランジャシールの中心を通過するため、プランジャ外周面とプランジャシール内周面との間の摩擦力が均一に作用し、プランジャシールの内周面の磨耗が均一に進行することになる。【０００５】
しかし、プランジャポンプを構成するポンプヘッドやポンプボディ、プランジャ駆動部といった部材には製造公差が存在するため、ポンプボディに対してポンプヘッドが正しく配置されていても、プランジャの中心軸とポンプ室の中心軸との間にずれが生じている場合が多い。プランジャの中心軸とポンプ室の中心軸がずれていると、プランジャが動作する際のプランジャ外周面とプランジャシール内周面との間の摩擦力がプランジャシールの内周面で不均一になり、プランジャシールの磨耗が局所的に進行してプランジャシールの寿命が低下する。【０００６】
そこで、プランジャ駆動部を揺動可能な状態にし、ポンプ室に対するプランジャの偏心が受動的に調整されるようにする技術が提案され、実施もなされている（特許文献１を参照。）。
【先行技術文献】
【特許文献】
【０００７】
【特許文献１】米国特許第５９３８４１６号
【発明の概要】
【発明が解決しようとする課題】
【０００８】
特許文献１に開示の技術では、プランジャ駆動部をＯリングで保持するとともにプランジャ駆動部の基端を固定しないことで揺動可能としている。しかし、このような構造を採用しても、プランジャとポンプ室との相対的な偏心が大きかったりＯリングの取付け状態が悪かったりすると、プランジャとポンプ室との相対的な偏心が十分に調整されない場合があることがわかった。【０００９】
本発明は、上記問題に鑑みてなされたものであり、プランジャとポンプ室との相対的な偏心が小さい状態に組立て可能な構造をもつプランジャポンプを提供することを目的とするものである。
【課題を解決するための手段】
【００１０】
本発明は、ポンプボディにポンプヘッド部を組み付ける段階で、ポンプ室の中心軸とプランジャの中心軸とが略一致するようにプランジャとポンプヘッド部との相対的な位置関係を調整することを可能とするものである。【００１１】
本発明に係るプランジャポンプは、ポンプボディと、プランジャと、プランジャ駆動部と、ポンプヘッド部と、を備えている。前記プランジャ駆動部は、前記ポンプボディの先端から前記プランジャを突出させるように先端で前記プランジャの基端を保持し、前記ポンプボディ内で前記プランジャの軸方向へ移動するものである。前記ポンプヘッド部は、前記プランジャの先端部が挿入されるポンプ室が内部に設けられているポンプヘッドを少なくとも有し、前記ポンプボディの先端に固定されているものである。【００１２】
本発明に係るプランジャポンプの第１の態様では、前記ポンプヘッド部が、前記プランジャの中心軸と前記ポンプ室の中心軸とが略一致した状態で前記プランジャ駆動部が前記ポンプボディの先端側の所定位置まで移動したときに前記プランジャ駆動部と嵌合する形状を有し、前記プランジャの軸方向に対して垂直な方向へ前記ポンプボディとは相対的に移動可能な状態で前記ポンプボディの先端に配置され、前記プランジャ駆動部と嵌合可能な位置関係をもって前記ポンプボディの先端に固定されている。【００１３】
すなわち、本発明の第１の態様では、ポンプヘッド部は、最終的にはポンプボディに対してボルト等の固定部材によって固定されるが、固定部材によるポンプボディへの固定がなされる前の段階では、プランジャの軸方向に対して垂直な方向へポンプボディとは相対的に移動可能である。この状態で、プランジャ駆動部をポンプボディの先端側の所定位置まで移動させ、ポンプヘッド部とプランジャ駆動部とを嵌合させると、プランジャの中心軸とポンプ室の中心軸とが略一致するような位置にポンプヘッド部が位置決めされる。この位置でポンプヘッド部を固定部材によってポンプボディに固定することで、プランジャの中心軸とポンプ室の中心軸とを略一致させた状態でプランジャポンプを組み上げることができる。【００１４】
上記第１の態様の好ましい構成として、前記ポンプヘッド部は、前記ポンプヘッドを含むポンプヘッド部本体、及び前記ポンプヘッド部本体とは別体として設けられ、前記ポンプヘッド部本体の基端部と嵌合して前記ポンプヘッド部本体を保持するポンプヘッド保持部材を備え、前記ポンプヘッド保持部材が、前記プランジャ駆動部が前記所定位置まで移動したときに前記プランジャ駆動部と嵌合する形状を有し、前記ポンプヘッド保持部材は、前記プランジャの軸方向に対して垂直な方向へ移動可能な状態で前記ポンプボディの先端に配置され、前記プランジャ駆動部と嵌合可能な位置関係をもって前記ポンプボディの先端に固定されている構成が挙げられる。【００１５】
上記の構成では、ポンプヘッド部のうちポンプヘッド保持部材を先にポンプボディに固定し、ポンプヘッド部本体をそのポンプヘッド保持部材に取り付ける。ポンプヘッド保持部材はポンプヘッド部の基端部と嵌合してポンプヘッド部を保持するため、ポンプヘッド保持部材が正しい位置に固定されていればポンプヘッド部本体を正しい位置、すなわち、プランジャの中心軸とポンプ室の中心軸とが略一致する位置に取り付けることができる。これにより、ポンプヘッド部を交換する際に、ポンプヘッド保持部材をポンプボディに固定した状態でポンプヘッド部本体のみを交換することができるので、ポンプヘッド部の位置決めを再度行なう必要がない。【００１６】
本発明に係るプランジャポンプの第２の態様では、前記プランジャ駆動部が、前記ポンプボディ内に収容されて前記プランジャの軸方向へ移動するプランジャ駆動部本体、及び前記プランジャ駆動部本体に取り付けられ、前記ポンプボディの先端から前記プランジャを突出させるようにプランジャの基端を保持するプランジャ保持部を有し、前記プランジャ保持部は、前記プランジャの中心軸と前記ポンプ室の中心軸とが略一致した状態で前記プランジャ駆動部が前記ポンプボディの先端側の所定位置まで移動したときに前記ポンプヘッド部と嵌合する形状を有し、前記プランジャの軸方向に対して垂直な方向へ前記プランジャ駆動部本体とは相対的に移動可能な状態で前記プランジャ駆動部本体の先端部に配置され、前記ポンプヘッド部と嵌合可能な位置関係をもって前記プランジャ駆動部本体に取り付けられている。【００１７】
すなわち、本発明の第２の態様では、プランジャ駆動部のプランジャ保持部は、最終的にはプランジャ駆動部本体に対してボルト等の固定部材によって固定されるが、固定部材によるプランジャ駆動部本体への固定がなされる前の段階では、プランジャの軸方向に対して垂直な方向へプランジャ駆動部本体とは相対的に移動可能である。この状態で、プランジャ駆動部をポンプボディの先端側の所定位置まで移動させ、ポンプヘッド部とプランジャ駆動部とを嵌合させると、プランジャの中心軸とポンプ室の中心軸とが略一致するような位置にプランジャ保持部が位置決めされる。この位置でプランジャ保持部を固定部材によってプランジャ駆動部本体に固定することで、プランジャの中心軸とポンプ室の中心軸とを略一致させた状態でプランジャポンプを組み上げることができる。【００１８】
上記第２の態様においても、前記ポンプヘッド部を、前記ポンプヘッドを含むポンプヘッド部本体、及び前記ポンプヘッド部本体とは別体として設けられ、前記ポンプヘッド部本体の基端部と嵌合して前記ポンプヘッド部本体を保持するポンプヘッド保持部材を備えたものとすることができる。この場合、前記プランジャ保持部は、前記プランジャ駆動部が前記ポンプボディの先端側の前記所定位置まで移動したときに前記ポンプヘッド保持部材の一部と嵌合する形状を有する。
【発明の効果】
【００１９】
本発明に係るプランジャポンプの第１の態様では、ポンプヘッド部を固定部材によってポンプボディへ固定する前の段階で、プランジャ駆動部をポンプボディの先端側の所定位置まで移動させてポンプヘッド部とプランジャ駆動部とを嵌合させるだけで、プランジャの中心軸とポンプ室の中心軸とが略一致するような位置にポンプヘッド部を位置決めすることができる。これにより、プランジャの中心軸とポンプ室の中心軸とを略一致させた状態でプランジャポンプを組み上げることができ、プランジャとポンプ室の相対的な偏心によるプランジャシールの寿命の低下を抑制することができる。【００２０】
本発明に係るプランジャポンプの第２の態様では、プランジャ駆動部のプランジャ保持部を固定部材によってプランジャ駆動部本体へ固定する前の段階で、プランジャ駆動部をポンプボディの先端側の所定位置まで移動させてポンプヘッド部とプランジャ駆動部とを嵌合させるだけで、プランジャの中心軸とポンプ室の中心軸とが略一致するような位置にプランジャ保持部を位置決めすることができる。これにより、プランジャの中心軸とポンプ室の中心軸とを略一致させた状態でプランジャポンプを組み上げることができ、プランジャとポンプ室の相対的な偏心によるプランジャシールの寿命の低下を抑制することができる。
【図面の簡単な説明】
【００２１】
【図１】プランジャポンプの一実施例を示す断面図である。
【図２】同実施例の分解断面図である。
【図３】同実施例において、ポンプヘッド保持部材の位置決め前の状態を示す断面図である。
【図４】同実施例において、ポンプヘッド保持部材の位置決め後の状態を示す断面図である。
【図５】プランジャポンプの他の実施例を示す図であって、プランジャ保持部材の位置決め前の状態を示す断面図である。
【図６】同実施例において、プランジャ保持部材の位置決め後の状態を示す断面図である。
【発明を実施するための形態】
【００２２】
以下、本発明に係るプランジャポンプの好ましい実施形態について、図面を参照しながら説明する。
【００２３】
図１に示されているように、プランジャポンプ１は、ポンプボディ２、ポンプヘッド部４、プランジャ６、及びプランジャ駆動部８を備えている。ポンプヘッド部４はポンプボディ２の先端に取り付けられている。プランジャ駆動部８はポンプボディ２内に収容され、プランジャ６の基端を先端で保持している。
【００２４】
プランジャ駆動部８は、プランジャ駆動部本体１３と、プランジャ駆動部本体１３の基端側に設けられ、プランジャ６の軸方向に伸びたボールネジ１０と羅号するナット１２と、プランジャ駆動部本体１３の先端側でプランジャ６の基端を保持するプランジャ保持部１４と、を備えている。ボールネジ１０はモータ（図示は省略）によって回転させられる。プランジャ６の軸方向に伸びるガイドレール１８がポンプボディ２内に設けられており、ナット１２の一部がプランジャ６の軸方向へスライド可能な状態で支持され、ボールネジ１０が回転してもナット１２が回転しないように構成されている。プランジャ駆動部８に取り付けられたスライドブロック１６もガイドレール１８に沿ってプランジャ６の軸方向へスライドするように構成されている。これにより、ボールネジ１０が回転すると、プランジャ駆動部８がプランジャ６の軸方向へ移動する。なお、プランジャ駆動部８を移動させるための機構はボールネジ１０とナット１２を利用したものでなくてもよく、カム機構を利用したものであってもよい。
【００２５】
ポンプヘッド部４は、ポンプヘッド部本体２２とポンプヘッド保持部材２４を備えている。ポンプヘッド部本体２２は、内部にポンプ室２８が設けられているポンプヘッド２６を備えている。ポンプ室２８内にポンプボディ２の先端から突出したプランジャ６の先端部が挿入されている。プランジャ６がポンプ室２８内に挿入されるポンプ室２８の近傍の位置に、プランジャ６の外周面を液密に保持するプランジャシール３０が設けられており、ポンプ室２８の基端側端面がプランジャシール３０によって封止されている。
【００２６】
ポンプヘッド部本体２２内にはコイルバネなどの弾性部材３２が収容されており、プランジャ６の基端部が弾性部材３２の弾性力によってプランジャ保持部１４側へ付勢されるように構成されている。プランジャ６の基端部はプランジャ保持部１４の先端面に設けられた凹部１４ｂに嵌め込まれており、弾性部材３２によってプランジャ保持部１４へ付勢されることで、プランジャ６がプランジャ保持部１４によって安定的に保持される。凹部１４ｂの内径ｄ２はプランジャ６の基端部の外径ｄ１と略同一に設計されており（図２を参照。）、プランジャ６の基端部と凹部１４とが互いに嵌合して、プランジャ６の中心軸とプランジャ保持部１４の中心軸とが略一致するように構成されている。
【００２７】
図２に示されているように、ポンプヘッド保持部材２４は中空の円筒部２４ａとその円筒部２４の先端部に設けられたフランジ部２４ｂを備え、円筒部２４ａがポンプボディ２の先端面に設けられた円形の開口部２０に挿入されることでポンプボディ２の先端に装着される。ポンプヘッド保持部材２４の円筒部２４ａの外径はポンプボディ２の開口部２０の内径よりも僅かに小さく設計されており、開口部２０の内周面２０ａと円筒部２４ａの外周面との間に僅かな隙間が生じる。
【００２８】
ポンプヘッド部本体２２の基端側に、ポンプヘッド保持部材２４の内径と略同一の外径を有する円筒部２２ａが設けられている。ポンプヘッド部本体２２とポンプヘッド保持部材２４は、ポンプヘッド部本体２２の円筒部２２ａがポンプヘッド保持部材２４の内側に挿入されることで互いに嵌合し、ポンプヘッド部本体２２がポンプヘッド部保持部材２４によって保持される。ポンプヘッド部本体２２の円筒部２２ａとポンプヘッド保持部材２４が互いに嵌合するため、円筒部２２ａがポンプヘッド保持部材２４の内側に挿入されるだけでポンプヘッド部本体２２がポンプヘッド保持部材２４に対して位置決めされる。
【００２９】
この実施例のプランジャポンプ１は、ポンプヘッド部４をポンプボディ２に取り付ける際に、まずポンプヘッド保持部材２４の円筒部２４ａをポンプボディ２の開口部２０に挿し込み、ポンプヘッド保持部材２４の位置決めを行なった上でボルトなどの固定部材を用いてポンプヘッド保持部材２４をポンプボディ２に固定し、そのポンプヘッド保持部材２４に対してポンプヘッド本体２２を取り付ける。ポンプヘッド保持部材２４の位置決めは、プランジャ保持部１４との相対的な位置関係を調整することによって行なう。
【００３０】
図３に示されているように、プランジャ保持部１４の基端部には、ポンプヘッド保持部材２４の内径と略同一の外径をもつフランジ部１４ａが設けられており、フランジ部１４ａとポンプヘッド保持部材２４とが互いに嵌合するようになっている。
【００３１】
ポンプヘッド保持部材２４はボルト３３（固定部材）によってポンプボディ２に固定されるものである。ポンプヘッド保持部材２４のボルト３３用の孔３４の内径は、ボルト３３の径よりも大きくなっており、ボルト３３をポンプボディ２のボルト孔３６へ締め込む前の段階では、ポンプヘッド保持部材２４がプランジャ６の軸方向に対して垂直な方向へ僅かに移動可能である。これにより、ポンプボディ２の先端部における位置の微調整を行なうことができる。
【００３２】
ポンプヘッド保持部材２４の位置決めを行なう際は、ポンプヘッド保持部材２４がプランジャ６の軸方向に対して垂直な方向へ移動可能な状態で、ボールネジ１０を回転させてプランジャ駆動部８をポンプボディ２の先端側の所定位置（プランジャ保持部１４のフランジ部１４ａがポンプヘッド保持部材２４の基端部に到達する位置）まで移動させる。このとき、図４に示されているように、ポンプヘッド保持部材２４の内側にプランジャ保持部１４のフランジ部１４ａが嵌合するようにポンプヘッド保持部材２４の位置を調整し、フランジ部１４ａとポンプヘッド保持部材２４とを嵌合させた状態でボルト３３を締め込んでポンプヘッド保持部材２４の位置を固定する。これにより、ポンプヘッド保持部材２４がプランジャ保持部１４と嵌合可能な位置関係をもって固定される。プランジャ保持部１４とポンプヘッド保持部材２４とが互いに嵌合可能な位置関係をもつことで、両者の中心軸が略一致した状態となる。
【００３３】
ポンプヘッド保持部材２４の位置決めが完了した後、ポンプヘッド保持部材２４の内側にポンプヘッド部本体２２の円筒部２２ａを差し込み、ボルト等の固定部材によってポンプヘッド部本体２２をポンプヘッド保持部材２４に対して固定することで、ポンプボディ２に対するポンプヘッド部４の取付けが完了する。
【００３４】
既述のように、プランジャ６の基端部とプランジャ保持部材１４の凹部１４ｂとが互いに嵌合することで，プランジャ保持部１４の中心軸とプランジャ６の中心軸が一致するように設計されている。プランジャ６及びプランジャ保持部１４は高い寸法精度で作成することが可能であるため、プランジャ６の中心軸とプランジャ保持部１４の中心軸は略一致している。
【００３５】
さらに、ポンプヘッド部４において、ポンプヘッド部本体２２の円筒部２４ａとポンプヘッド保持部材２４とが互いに嵌合したときに、ポンプヘッド２６内のポンプ室２８の中心軸とポンプヘッド保持部材２４の中心軸が一致するように設計されている。ポンプヘッド部本体２２及びポンプヘッド保持部材２４は高い寸法精度で作成することが可能であるため、円筒部２４ａとポンプヘッド保持部材２４とを嵌合させたときのポンプ室２８の中心軸とポンプヘッド保持部材２４の中心軸が略一致している。
【００３６】
これらの関係から、ポンプヘッド保持部材２がプランジャ保持部１４と嵌合可能な位置関係をもって固定されることで、プランジャ６の中心軸とポンプ室２８の中心軸とが略一致した状態となる。
【００３７】
このように、この実施例のプランジャポンプ１は、ポンプヘッド部４をポンプボディ２に組み付ける際に、ポンプ室２８の中心軸がプランジャ６の中心軸と略一致するような位置にポンプヘッド部４の位置を調整することができる。さらに、この実施例では、ポンプヘッド部４が、ポンプヘッド部本体２２とは別体としてポンプヘッド保持部２４を備えているので、ポンプヘッド保持部２４をポンプボディ２に取り付けた状態でポンプヘッド部本体２２のみの交換を行なうことができるので、ポンプヘッド保持部２４の位置決めを再度実施する必要がない。
【００３８】
なお、上記実施例では、プランジャ６の中心軸とポンプ室２８の中心軸とを略一致させるために、ポンプヘッド部４側の位置を調整する構造について説明したが、プランジャ６側の位置を調整するようになっていてもよい。
【００３９】
図５及び図６はプランジャ６側の位置を調整する構造の一例を示したものである。この実施例では、ポンプヘッド保持部材２４の円筒部２４ａがポンプボディ２の開口部２０の内径と略同一の外径をもち、ポンプヘッド保持部材２４がプランジャ６の軸方向に対して垂直な方向へ移動しない。プランジャ保持部１４はボルト３８によってプランジャ駆動部本体１３に固定されている。プランジャ保持部１４のボルト３８用の孔４０はボルト３８の径よりも大きくなっており、ボルト３８をプランジャ駆動部本体１３のボルト孔４２へ締め込む前の段階では、プランジャ保持部１４がプランジャ６の軸方向に対して垂直な方向へ僅かに移動可能である。これにより、プランジャ保持部１４の位置の微調整を行なうことができる。
【００４０】
プランジャ保持部１４の位置決めを行なう際は、プランジャ保持部１４がプランジャ６の軸方向に対して垂直な方向へ移動可能な状態で、ボールネジ１０を回転させてプランジャ駆動部８をポンプボディ２の先端側の所定位置（プランジャ保持部１４のフランジ部１４ａがポンプヘッド保持部材２４の基端部に到達する位置）まで移動させる。このとき、図６に示されているように、ポンプヘッド保持部材２４の内側にプランジャ保持部１４のフランジ部１４ａが嵌合するようにプランジャ保持部１４の位置を調整し、フランジ部１４ａとポンプヘッド保持部材２４とを嵌合させた状態でボルト３８を締め込んでプランジャ保持部１４の位置を固定する。これにより、プランジャ保持部１４がポンプヘッド保持部材２４と嵌合可能な位置をもってプランジャ駆動部本体１３に固定され、両者の中心軸が略一致した状態となる。
【００４１】
既述のように、プランジャ６の中心軸とプランジャ保持部１４の中心軸とが略一致し、ポンプ室２８の中心軸とポンプヘッド保持部材２４の中心軸とが略一致しているため、プランジャ保持部１４がポンプヘッド保持部材２４と嵌合可能な位置をもってプランジャ駆動部本体１３に固定されることで、プランジャ６の中心軸とポンプ室２８の中心軸とが略一致した状態となる。
【００４２】
以上において説明した実施例では、プランジャ保持部１４又はポンプヘッド保持部材２４のいずれか一方の位置を微調整してプランジャ６の中心軸とポンプ室２８の中心軸とを略一致させる構造について説明したが、本発明はこれに限定されるものではなく、プランジャ保持部１４とポンプヘッド保持部材２４の両方の位置を調整できるように構成してもよい。
【００４３】
また、ポンプヘッド部４のポンプヘッド保持部材２４がポンプヘッド部本体２２とは別体として設けられているが、本発明はこれに限定されるものではなく、ポンプヘッド保持部材２４がポンプヘッド部本体２２と一体的に設けられていてもよい。要は、ポンプヘッド部４の一部とプランジャ駆動部８の一部とが、プランジャ駆動部８が所定位置まで移動したときに互いに嵌合する形状を有し、両者の嵌合を利用してプランジャ６の中心軸とポンプ室２８の中心軸とを略一致させるように、位置調整を行なうことができるようになっていればよい。
【００４４】
また、以上において説明した実施例では示されていないが、ポンプヘッド部本体２２は、プランジャシール３０よりも基端側（図１において右側）の位置に洗浄液を供給してプランジャ６の洗浄を行なうことができるような構造を具備していてもよい。
【符号の説明】
【００４５】
１      プランジャポンプ
２      ポンプボディ
４      ポンプヘッド部
６      プランジャ
８      プランジャ駆動部
１０      ボールネジ
１２      ナット
１３      プランジャ駆動部本体
１４      プランジャ保持部
１４ａ      フランジ部（プランジャ保持部）
１４ｂ      凹部（プランジャ保持部）
１６      スライドブロック
１８      ガイドレール
２０      開口部
２０ａ      内周面
２２      ポンプヘッド部本体
２２ａ      円筒部（ポンプヘッド部本体）
２４      ポンプヘッド保持部材
２４ａ      円筒部（ポンプヘッド保持部材）
２４ｂ      フランジ部（ポンプヘッド保持部材）
２６      ポンプヘッド
２８      ポンプ室
３０      プランジャシール
３２      弾性体
３３，３８      ボルト
３４，４０      ボルト用貫通孔
３６，４２      ボルト孔
【図１】
2019106738.tif 000003
【図２】
2019106738.tif 000004
【図３】
2019106738.tif 000005
【図４】
2019106738.tif 000006
【図５】
2019106738.tif 000007
【図６】
2019106738.tif 000008
【国際調査報告】
2019106738.tif 000009
2019106738.tif 000010